(57)【特許請求の範囲】
【請求項１】
電源スイッチオンにより起動され、感光体のクリーニングを含む初期化動作を行い装置制御を行う本体ＣＰＵと、省エネ状態で動作して該省エネ状態を通常の状態へ復帰させる要因の発生を検出して上記本体ＣＰＵを起動する省エネＣＰＵとを有する記録装置の省エネ復帰方法において、上記省エネＣＰＵは、上記要因の発生を検出すると該要因の検出結果を保持手段Ｂに保持した後上記本体ＣＰＵを起動し、起動された上記本体ＣＰＵは、上記保持手段Ｂを読み、上記要因の検出結果の有無を判別し、該検出結果が有れば上記省エネ状態から通常の状態へ復帰する場合の初期化手順により装置の初期化を行い、上記検出結果が無ければ上記電源スイッチオンにより起動された場合の初期化を行い、
さらに、上記省エネＣＰＵは、省エネ状態中、装置内に設けられたトナーカートリッジの交換を検出してその交換検出結果を保持手段Ａに保持し、起動された上記本体ＣＰＵは、上記保持手段Ａにトナーカートリッジの交換検出結果が保持されていれば、装置内に設けられた感光体のクリーニングを含む初期化動作を行うことを特徴とする省エネ復帰方法。
【請求項２】
電源スイッチのオンにより起動され、感光体のクリーニングを含む初期化動作を行い装置制御を行う本体制御手段と、省エネ状態で動作して該省エネ状態を通常の状態へ復帰させる要因の発生を検出して上記本体制御手段を起動する省エネ制御手段とを有し、記録用紙への記録を行なう記録装置であって、上記省エネ制御手段は、上記要因の発生を検出すると該要因の検出結果を保持する検出結果保持手段を有し、起動された上記本体制御手段は、上記検出結果保持手段での上記要因の検出結果の有無を判別する手段と、該検出結果が有れば上記省エネ状態から通常の状態へ復帰する場合の初期化手順により装置の初期化を行い、上記検出結果が無ければ上記電源スイッチのオンにより起動された場合の初期化を行う初期化手段とを有し、
さらに、上記省エネ制御手段は、省エネ状態中、装置内に設けられたトナーカートリッジの交換を検出してその交換検出結果を保持する交換検出結果保持手段を有し、起動された上記本体制御手段は、上記交換検出結果保持手段での上記トナーカートリッジの交換検出結果の有無を判別する手段を有して、該交換検出結果が保持されていれば、上記感光体のクリーニングを含む初期化動作を行うことを特徴とする記録装置。
【発明の詳細な説明】
【０００１】
【発明の属する技術分野】
本発明は、ファクシミリ装置や複写機、レーザプリンタ等の省エネ制御技術に係わり、特に、省エネ状態からの復帰を効率的に行なうのに好適な省エネ復帰方法とそれを用いた記録装置に関するものである。
【０００２】
【従来の技術】
ファクシミリ装置や複写機、レーザプリンタ等の印刷処理を行なう記録装置においては、一般に、省エネモードと呼ばれる制御機能が設けられている。この省エネモードとは、装置が稼働していない場合に、例えばヒータの温度を通常よりも低く制御するものである。ファクシミリ装置や複写機、レーザプリンタ等の記録装置では、感光体とトナーを用いて印刷処理を行なうものであり、感光体から記録用紙上に転写したトナーを記録用紙に固着させるために、トナーを熱により溶かす工程が設けられている。この熱の生成にはヒータが用いられており電力を多く消費する。
【０００３】
省エネモードでは、このヒータ等の電力消費を押さえることができる。
この省エネモードへは、ユーザが所定のキーを押下ることにより、あるいは、予め定められた時間、装置が稼働しなかった場合に自動的に、通常の状態から移行する。
【０００４】
この省エネモードには、上述のようにヒータの温度を通常よりも低い温度でコントロールする一般的なものと、ヒータを含む装置を構成する全ての部品への電源供給を停止するもの（以下「完全省エネモード」と記載）がある。
一般的な省エネモードでは、例えば、複写機においてユーザがスタートキーを押下すると、低く設定されていたヒータが通常の温度になるまで待ってからコピーを開始するものであり、ヒータを含む他の部品への電力が供給されており、それほどの省エネ効果は期待できない。
【０００５】
これに対して、完全省エネモードでは、各キーの押下や着信を監視する省エネＣＰＵ（Central Processing Unit）を含む少数の部品に対してのみ電力を供給するものであり、電源スイッチを切った場合と同じような状態である。そのため、大きな省エネ効果を得ることができる。
【０００６】
しかし、従来、この完全省エネモードからの通常の状態への復帰は、各キーの押下や着信を検知した省エネＣＰＵが、装置本体の処理制御を行なう本体ＣＰＵを起動することにより行なう。そのため、本体ＣＰＵは、電源スイッチがオンされた場合と同様にして、装置を初期化して復帰させる。
【０００７】
感光体とトナーを用いて印刷処理を行なうファクシミリ装置や複写機、レーザプリンタ等の記録装置では、この復帰時の初期化動作に、感光体のクリーニング動作が含まれる。すなわち、排紙ジャム障害等により記録用紙が装置内に詰まった場合、その用紙を除去するために、ユーザが電源スイッチをオフして作業する場合があるので、電源スイッチのオンに伴い、感光体のクリーニング動作を必ず行なうように設定されている。
【０００８】
この感光体のクリーニング動作が完了するまでには、ある程度の時間を要する。そのため、例えば、完全省エネ状態のファクシミリ装置において着信があった場合、１枚目の受信までにクリーニング動作が終了しなければ、メモリ受信となってしまう。その結果、メモリ容量を浪費してしまう。また、記録用紙に印字出力されないので、ユーザが着信に気付かない場合も生じ、連絡が遅れる等の不具合も発生する。
【０００９】
【発明が解決しようとする課題】
解決しようとする問題点は、従来の技術では、完全省エネ状態からの復帰時の装置の初期化動作を、電源スイッチオンに伴う装置の初期化動作と相違させることができない点である。
本発明の目的は、これら従来技術の課題を解決し、完全省エネ状態からの復帰時の装置の復帰動作を、電源スイッチオンに伴う装置の復帰動作よりも高速化でき、ファクシミリ装置や複写機およびレーザプリンタ等の記録装置の操作性および性能の向上を可能とする省エネ復帰方法とそれを用いた記録装置を提供することである。
【００１０】
【課題を解決するための手段】
上記目的を達成するため、本発明の省エネ復帰方法とそれを用いた記録装置は、省エネＣＰＵは、要因の発生を検出すると、この要因の検出結果を保持手段Ｂ、例えば自ポートＢに保持した後に本体ＣＰＵを起動し、起動された本体ＣＰＵは、省エネＣＰＵのポートＢを読み、要因の検出結果の有無を判別し、この検出結果の有無に応じて異なる初期化手順により装置の初期化を行う。例えば、検出結果が無ければ、本体ＣＰＵは、装置の電源スイッチがオンされた場合の初期化手順、すなわち、感光体のクリーニングを含む初期化動作を行う。また、検出結果が有れば、その要因に対応して予め定められた初期化手順により装置の初期化を行う。また、省エネ状態でのトナーカートリッジの交換が有れば、省エネＣＰＵは、検知してその結果も自ポートＡに保持し、本体ＣＰＵ２は、ポートＡにトナーカートリッジの交換検知結果が保持されていれば、感光体のクリーニングを含む初期化動作を行う。
【００１１】
【発明の実施の形態】
以下、本発明の実施の形態を、図面により詳細に説明する。
図１は、本発明の省エネ復帰方法を用いた記録装置としてのファクシミリ装置の構成の一実施例を示すブロック図であり、図２は、図１におけるファクシミリ装置の省エネ復帰を制御する部分の一構成例を示すブロック図である。
【００１２】
図１において、１はファクシミリ装置（図中、「ＦＡＸ」と記載）、２は本体ＣＰＵ、３は省エネＣＰＵ、４はメモリ、５は操作部、６はインタフェース部（図中、「ＰＣ  Ｉ／Ｆ」と記載）、７はモデム、８は網制御部（図中、「ＮＣＵ」と記載）、９はスキャナ、１０はプリンタ部、１１はセンサ・スイッチ（図中、「センサ・ＳＷ」と記載）、１２はバスである。
【００１３】
本体ＣＰＵ２は、ファクシミリ装置１の全体の処理動作制御を行ない、省エネＣＰＵ３は、完全省エネ状態時に、ファクシミリ装置１の通常状態への復帰要因の発生を監視する。
メモリ４は、ＲＡＭ（Random Access Memory）やＲＯＭ（Read Only Memory）からなり、本体ＣＰＵ２や省エネＣＰＵの動作プログラムやデータ、あるいは、送受信対象の画像データ等をそれぞれのアドレス領域に別けて記憶する。
【００１４】
操作部は、ワンタッチキーやテンキー、スタートキー等からなる入力部と、ＬＣＤ（Liquid Crystal Display）等からなる出力部を有し、ユーザとの対話的な入出力操作に用いられる。
インタフェース部６は、ＳＣＳＩ（Small computer systems Interface）やＲＳ−２３２Ｃ等からなり、図示していないパーソナルコンピュータ（パソコン）等のコンピュータとの接続制御を行なう。
【００１５】
モデム７は、送受信対象の画像データの変調処理および復調処理を行なう。
網制御部８は、電話回線等を介しての相手先装置との接続制御を行なう。
スキャナ９は、ＣＩＳ（Contact-type Image Sensor）等を有し、送信対象の原稿を走査して画像データを読み取る。
【００１６】
プリンタ部１０は、レーザプリンタ機構を有し、感光体とトナーを用いた受信データ等の記録を行なう。
センサ・スイッチ１１は、電源スイッチやカバースイッチ、あるいは、プリンタ部１０で用いるトナーカートリッジの有無を検知するセンサ、スキャナ９にセットされた原稿を検知する原稿有無センサ等からなる。
【００１７】
省エネＣＰＵ３と、網制御部８におけるリンギング検出回路とフック検出回路、および、スキャナ９における原稿有無センサ、操作部５における省エネ復帰ボタン、インタフェース部６における接続先コンピュータからのデータ受信部などは、完全省エネ状態中においても電源が供給される。
【００１８】
そして完全省エネ状態時に、操作部５においての何らかのユーザ操作や、網制御部８への回線からのリンギング等があれば、それを要因として、本体ＣＰＵ２を起動する。これにより、ファクシミリ装置１は、省エネ状態から通常状態に戻る。この場合、省エネＣＰＵ３は、どの要因で省エネから復帰するのかを、要因毎に対応した値を自ポートにセットした後、本体ＣＰＵ２を起動する。
【００１９】
本体ＣＰＵ２は、起動すると、省エネＣＰＵ３がセットしたポートを読み、何もセットされていなければ、電源スイッチのオンによる通常の起動であるものと判断し、通常の初期化動作を行ない、例えばプリンタ部１０にある感光体のクリーニング動作を行なう。また、ポートに何らかの値がセットされていれば、完全省エネ状態からの復帰による起動であるものと判断し、プリンタ部１０にある感光体のクリーニング動作を行なわずに、そのポートの値で特定される要因に対応した処理を行なう。
【００２０】
以下、図２を用いて、このような処理を行なうファクシミリ装置内に構成される省エネ復帰を行なうシステムを説明する。
図２において、４ａは、図１における省エネＣＰＵ３により構成される省エネ制御部であり、この省エネ制御部４ａは、復帰検出部４ｂ、情報設定部４ｃ、本体起動部４ｄ、ポート（図中、「Ａ」と記載）４ｅ、ポート（図中、「Ｂ」と記載）４ｆからなる。また、２ａは、図１における本体ＣＰＵ２により構成される初期処理部であり、この初期処理部２ａは、設定情報読取部２ｂと初期化部２ｃからなる。
【００２１】
完全省エネ状態中、省エネ制御部４ａは、復帰検出部４ｂにより、通常状態への復帰要因の発生を監視する。例えば、何らかのユーザ操作や回線からのリンギングの発生があれば、復帰検出部４ｂは、それを検知して情報設定部４ｃに通知する。
【００２２】
情報設定部４ｃでは、復帰検出部４ｂから通知された要因に対応する値、例えば、原稿有無センサによる図１のスキャナ９での原稿セットの検知動作が要因であれば「１」、また、図１の網制御部８のリンギング検出回路による回線からのリンギングの検知であれば「２」など、どの要因で完全省エネ状態から復帰するのかを表わす情報を、ポート（図中、「Ｂ」と記載）４ｆにセットする。
【００２３】
また、この情報設定部４ｃでは、センサ・スイッチ１１における、プリンタ部１０内のトナーカートリッジ１０ａの有無を検知するセンサを監視する。そして、完全省エネ状態中に、このセンサが１度でもトナーカートリッジ１０ａの無状態を検知した場合、情報設定部４ｃは、ポート（図中、「Ａ」と記載）４ｅに所定の値をセットする。
【００２４】
情報設定部４ｃは、このポート４ｅへの値のセット時には、その動作を本体起動部４ｄに通知しないが、ポート４ｆへの値のセット時には、その動作を本体起動部４ｄに通知する。この情報設定部４ｃからの通知に基づき、本体起動部４ｄは、本体ＣＰＵ２側の初期処理部２ａを起動する。
【００２５】
このようにして、省エネ制御部４ａの本体起動部４ｄから起動されると、本体ＣＰＵ２側の初期処理部２ａは、まず、設定情報読取部２ｂにより、省エネＣＰＵ３側のポート４ｆを読む。このポート４ｆに何も値がセットされていなければ、電源スイッチのオンによる起動であると判別し、初期化部２ｃにより、プリンタ部１０の感光体のクリーニングを含む通常のイニシャル（初期化）動作を行なう。
【００２６】
しかし、ポート４ｆに、ある値がセットされていれば、何らかの要因による完全省エネ状態からの復帰起動であると判断し、さらに、設定情報読取部２ｂにより、省エネ制御部４ａのポート４ｅを読む。このポート４ｅに値がセットされていれば、完全省エネ状態中にオペレータがプリンタ部１０内のトナーカートリッジを交換したものと判断して、初期化部２ｃにより、感光体のクリーニング動作を伴う通常のイニシャル動作を行なう。これにより、トナーカートリッジの交換に伴う感光体の汚れを除去することができる。
【００２７】
さらにその後、再度、ポート４ｆを読み、このポート４ｆにセットされている値で特定される要因に対応した処理を行なう。例えば、セットされた値が「１」であれば、図１のスキャナ９を起動して、セットされた原稿の読み取りを開始する。また、値が「２」であれば、図１の網制御部８を起動して受信動作を開始する。
【００２８】
また、ポート４ｅに値が何もセットされていなければ、感光体のクリーニング動作を行なうことなく、再度ポート４ｆを読み、そのポート４ｆにセットされている値で特定される要因に対応した上述の処理を行なう。
以下、このようなファクシミリ装置による処理動作を、図３〜図５を用いて説明する。
【００２９】
図３は、図１におけるファクシミリ装置の本発明の省エネ復帰方法に係わる第１の処理動作例を示すフローチャートである。
完全省エネ状態で（ステップ３０１）、何らかの通常状態への復帰要因があれば（ステップ３０２）、省エネＣＰＵ３により、復帰要因に対応した値をポートにセットした後、本体ＣＰＵ２を起動する（ステップ３０３）。
本体ＣＰＵ２は、起動すると、省エネＣＰＵ３がセットしたポートを確認する（ステップ３０４）。
【００３０】
このポートに何らかの値がセットされていれば（ステップ３０５）、完全省エネ状態からの復帰による起動であるものと判断し、プリンタ部１０にある感光体のクリーニング動作を除く初期化動作を行ない（ステップ３０６）、そのポートの値で特定される要因に応じた処理を行なう（ステップ３０７）。また、ステップ３０５において、省エネＣＰＵ３がセットしたポート値がセットされていなければ、電源スイッチのオンによる通常の起動であるものと判断し、感光体のクリーニング動作を含む通常の初期化動作を行なう（ステップ３０８）。
【００３１】
このように、完全省エネ状態からの復帰では、その初期化動作において、感光体のクリーニングを行なわないので、完全に復帰するまでの時間が短縮でき、例えば、受信のために復帰した場合も、メモリ受信となることがない。
次に、図４を用いて、図１におけるファクシミリ装置１の他の処理動作を説明する。
【００３２】
図４は、図１におけるファクシミリ装置の本発明の省エネ復帰方法に係わる第２の処理動作例を示すフローチャートである。
完全省エネ状態で（ステップ４０１）、何らかの通常状態への復帰要因があれば（ステップ４０２）、省エネＣＰＵ３により、復帰要因に対応した値をポートにセットした後、本体ＣＰＵ２を起動する（ステップ４０３）。
本体ＣＰＵ２は、起動すると、省エネＣＰＵ３がセットしたポートを確認する（ステップ４０４）。
【００３３】
このポートに値がセットされていなければ（ステップ４０５）、電源スイッチのオンによる通常の起動であるものと判断し、感光体のクリーニング動作を含む通常の初期化動作を行なう（ステップ４０６）。
また、ポートに何らかの値がセットされていれば（ステップ４０５）、完全省エネ状態からの復帰による起動であるものと判断し、さらに、その値に対応する要因が感光体のクリーニング動作を行なう設定になっているか否かを判断する（ステップ４０７）。
【００３４】
感光体のクリーニング動作を伴わない設定であれば、感光体のクリーニング以外の初期化動作を行なった後（ステップ４０８）、そのポートの値で特定される要因に応じた処理を行なう（ステップ４０９）。
また、感光体のクリーニング動作を伴う設定であれば、通常の感光体のクリーニングを含む初期化動作を行なった後（ステップ４１０）、そのポートの値で特定される要因に応じた処理を行なう（ステップ４０９）。
【００３５】
このように、本例では、完全省エネ状態からの復帰においても、感光体のクリーニング動作を行なう場合と、行なわない場合の選択ができる。例えば、クリーニングカートリッジを使用する完全省エネ状態からの復帰要因に関しては、感光体のクリーニング動作を行なうように設定しておけば、完全省エネ状態中にオペレータがトナーカートリッジを交換して感光体が汚れていても、復帰時にクリーニングされるので、完全省エネ状態からの復帰直後の印刷で、汚れた画像が印刷されるといった不具合を防止できる。
【００３６】
さらに、図５を用いて、図１におけるファクシミリ装置１の他の処理動作を説明する。
図５は、図１におけるファクシミリ装置の本発明の省エネ復帰方法に係わる第３の処理動作例を示すフローチャートである。
【００３７】
完全省エネ状態中に（ステップ５０１）、トナーカートリッジ無が検出されれば（ステップ５０２）、ポートＡすなわち図２におけるポート４ｅに所定の値をセットする（ステップ５０３）。
そして、何らかの通常状態への復帰要因があれば（ステップ５０４）、省エネＣＰＵ３により、復帰要因に対応した値をポートＢすなわち図２におけるポート４ｆにセットした後、本体ＣＰＵ２を起動する（ステップ５０５）。
【００３８】
本体ＣＰＵ２は、起動すると、ポートＢに値がセットされているか否かを確認する（ステップ５０６）。
このポートＢに値がセットされていなければ（ステップ５０７）、電源スイッチのオンによる通常の起動であるものと判断し、感光体のクリーニング動作を含む通常の初期化動作を行なう（ステップ５０８）。
【００３９】
また、ステップ５０７において、ポートＢに何らかの値がセットされていれば、完全省エネ状態からの復帰による起動であるものと判断し、さらに、ポートＡに値がセットされているか否かを確認する（ステップ５０９）。
【００４０】
ポートＡに値がセットされていなければ、完全省エネ状態中におけるトナーカートリッジの交換はなかったものと判断でき、感光体のクリーニング動作を除く初期化処理を行なった後（ステップ５１０）、そのポートの値で特定される要因に応じた処理を行なう（ステップ５１１）。
【００４１】
また、ポートＡに値がセットされていれば、完全省エネ状態中にトナーカートリッジの交換があったものと判断して、通常の感光体のクリーニングを含む初期化動作を行なった後（ステップ５１２）、そのポートの値で特定される要因に応じた処理を行なう（ステップ５１１）。
【００４２】
このように、本例では、完全省エネ状態中にトナーカートリッジの交換があったか否かを、ポートＡへの値のセットの有無で判別するので、完全省エネ状態中のトナーカートリッジの交換を確実に確認でき、その復帰時に、トナーカートリッジの交換で汚れた感光体を必ずクリーニングできるので、完全省エネ状態からの復帰直後の印刷で、汚れた画像が印刷されるといった不具合を確実に回避することができる。
【００４３】
以上、図１〜図５を用いて説明したように、本実施例の省エネ制御システムとそれを用いた記録装置としてのファクシミリ装置１では、省エネＣＰＵ３は、要因の発生を検出すると、この要因の検出結果を自ポート（Ｂ）４ｆに保持した後に本体ＣＰＵ２を起動し、起動された本体ＣＰＵ２は、省エネＣＰＵ３のポート４ｆを読み、要因の検出結果の有無を判別し、この検出結果の有無に応じて異なる初期化手順によりファクシミリ装置１の初期化を行う。
【００４４】
例えば、検出結果が無ければ、本体ＣＰＵ２は、ファクシミリ装置１の電源スイッチがオンされた場合の初期化手順、すなわち、感光体のクリーニングを含む初期化動作を行う。また、検出結果が有れば、その要因に対応して予め定められた初期化手順により装置の初期化を行う。
【００４５】
また、省エネ状態でのトナーカートリッジの交換が有れば、省エネＣＰＵ３は、検知してその結果を自ポート（Ａ）４ｅに保持し、本体ＣＰＵ２は、自ポート（Ａ）４ｅにトナーカートリッジの交換検知結果が保持されていれば、必ず、感光体のクリーニングを含む初期化動作を行う。
【００４６】
尚、本発明は、図１〜図５を用いて説明した実施例に限定されるものではなく、その要旨を逸脱しない範囲において種々変更可能である。例えば、本例では、記録装置としてファクシミリ装置を用いて説明したが、複写機や、コンピュータに接続されるレーザプリンタ等にも適用できる。
【００４７】
【発明の効果】
本発明によれば、完全省エネ状態からの復帰時の装置立ち上げ動作を、電源スイッチオン時の装置立ち上げ動作よりも高速化でき、ファクシミリ装置や複写機およびレーザプリンタ等の操作性および性能を向上させることが可能である。
【図面の簡単な説明】
【図１】本発明の省エネ復帰方法を用いた記録装置としてのファクシミリ装置の構成の一実施例を示すブロック図である。
【図２】図１におけるファクシミリ装置の省エネ復帰を制御する部分の一構成例を示すブロック図である。
【図３】図１におけるファクシミリ装置の本発明の省エネ復帰方法に係わる第１の処理動作例を示すフローチャートである。
【図４】図１におけるファクシミリ装置の本発明の省エネ復帰方法に係わる第２の処理動作例を示すフローチャートである。
【図５】図１におけるファクシミリ装置の本発明の省エネ復帰方法に係わる第３の処理動作例を示すフローチャートである。
【符号の説明】
１：ファクシミリ装置（ＦＡＸ）、２：本体ＣＰＵ、２ａ：初期処理部、２ｂ：設定情報読取部、２ｃ：初期化部、３：省エネＣＰＵ、４：メモリ、４ａ：省エネ制御部、４ｂ：復帰検出部、４ｃ：情報設定部、４ｄ：本体起動部、４ｅ：ポート（Ａ）、４ｆ：ポート（Ｂ）、５：操作部、６：インタフェース部（ＰＣＩ／Ｆ）、７：モデム、８：網制御部（ＮＣＵ）、９：スキャナ、１０：プリンタ部、１０ａ：トナーカートリッジ、１１：センサ・スイッチ（センサ・ＳＷ）、１２：バス。
【図１】
0003651758.tif 000002
【図２】
0003651758.tif 000003
【図３】
0003651758.tif 000004
【図４】
0003651758.tif 000005
【図５】
0003651758.tif 000006